(57)【特許請求の範囲】
【請求項１】
物品を搬送する移動台車と同移動台車上の物品を搬送途中で移し替えて計量する計量機とで構成される計量装置であって、移動台車は、物品の載置面を複数のフリーローラで形成し、同フリーローラの周囲に物品の落下防止枠を設け、同落下防止枠の物品の出入側を開閉式にした構造とし、計量機は、物品の底幅より狭幅の間隔をおいた一対のフリーローラを前記移動台車のフリーローラと同じ高さに設け、同一対のフリーローラ間に昇降台を設け、同昇降台の上面に重量計を設け、一対のフリーローラの周囲に物品の出入側を開放した物品の落下防止枠を設け、計量時に重量計の計量面がフリーローラの上方となる高さまで昇降台を上昇させ且つ非計量時に重量計の計量面がフリーローラの下方となる高さまで昇降台を降下させる昇降台駆動手段を設けた構造とし、搬送途中の物品を移動台車の物品載置面から同じ高さの計量機のフリーローラへ水平移動させて持ち運びすることなく計量できるようにしたことを特徴とする計量装置。
【請求項２】
移動台車の落下防止枠の開閉構造が、出入側の両側部に一対のストッパを回動自在に設け、同各ストッパをリンク部材を介して操作ペダルと連結し、同操作ペダルの踏動でストッパを開閉できるようにしたものである請求項１記載の計量装置。
【請求項３】
移動台車を計量機の物品搬入出位置へ案内する一対のガイドを計量機に設けた請求項１又は２記載の計量装置。
【請求項４】
昇降台駆動手段が、エアコンプレッサの圧縮空気で昇降台を昇降させるエアシリンダを設け、同エアシリンダへの圧縮空気の供給の切換操作をする操作ペダルを設けたものである請求項１〜３いずれか記載の計量装置。
【発明の詳細な説明】
【技術分野】
【０００１】
本発明は、移動台車で搬送する物品を搬送途中で移し替えて計量する計量装置に関する。
【背景技術】
【０００２】
従来、例えば漁船から荷揚げされた魚はその大きさや種類に応じて分別し、一定量ずつ魚函に収容後、計量して出荷される。計量は台秤で行なわれ、魚函の搬送は移動台車を用いて行なわれている。ところで、魚を収容した魚函は非常に重く、計量の度に移動台車と台秤との間を持ち運ぶ作業は労力を伴うものであった。また、計量と魚函への収容を自動で行う計量装置が提案されているが、装置が大型化してコスト高となり、小規模の計量には向かないものであった。
【特許文献１】特開平８−１９３８７０号公報
【発明の開示】
【発明が解決しようとする課題】
【０００３】
本発明が解決しようとする課題は、従来のこれらの問題点を解消し、移動台車で搬送する物品を搬送途中で労力を伴うことなく移し替えて迅速に計量できる低コストの計量装置を提供することにある。
【課題を解決するための手段】
【０００４】
かかる課題を解決した本発明の構成は、
１）物品を搬送する移動台車と同移動台車上の物品を搬送途中で移し替えて計量する計量機とで構成される計量装置であって、移動台車は、物品の載置面を複数のフリーローラで形成し、同フリーローラの周囲に物品の落下防止枠を設け、同落下防止枠の物品の出入側を開閉式にした構造とし、計量機は、物品の底幅より狭幅の間隔をおいた一対のフリーローラを前記移動台車のフリーローラと同じ高さに設け、同一対のフリーローラ間に昇降台を設け、同昇降台の上面に重量計を設け、一対のフリーローラの周囲に物品の出入側を開放した物品の落下防止枠を設け、計量時に重量計の計量面がフリーローラの上方となる高さまで昇降台を上昇させ且つ非計量時に重量計の計量面がフリーローラの下方となる高さまで昇降台を降下させる昇降台駆動手段を設けた構造とし、搬送途中の物品を移動台車の物品載置面から同じ高さの計量機のフリーローラへ水平移動させて持ち運びすることなく計量できるようにしたことを特徴とする計量装置
２）移動台車の落下防止枠の開閉構造が、出入側の両側部に一対のストッパを回動自在に設け、同各ストッパをリンク部材を介して操作ペダルと連結し、同操作ペダルの踏動でストッパを開閉できるようにしたものである前記１）記載の計量装置
３）移動台車を計量機の物品搬入出位置へ案内する一対のガイドを計量機に設けた前記１）又は２）記載の計量装置
４）昇降台駆動手段が、エアコンプレッサの圧縮空気で昇降台を昇降させるエアシリンダを設け、同エアシリンダへの圧縮空気の供給の切換操作をする操作ペダルを設けたものである前記１）〜３）いずれか記載の計量装置
にある。
【発明の効果】
【０００５】
本発明によれば、物品を載置した移動台車を計量機のフリーローラ前に横付けし、物品を計量機のフリーローラ側へ押し出すことで物品がフリーローラで移送されて重量計の上方へ配置される。従って、物品を持ち上げる作業が不要で、重量を有する物品でも労力を伴うことなく楽に迅速に計量できるようになり、しかも構造がシンプルで小型化でき、低コストで製作できる。
【発明を実施するための最良の形態】
【０００６】
本発明の移動台車の落下防止枠の開閉構造としては、出入側の両側部に一対のストッパを回動自在に設け、同各ストッパをリンク部材を介して操作ペダルと連結した構造のものが、操作ペダルの踏動で物品の落下を確実に防止するとともにストッパを容易に開閉できる。また、移動台車を計量機の物品搬入出位置へ案内する一対のガイドを計量機に設けると、移動台車の定位置への横付けが容易となる。昇降台駆動手段としては、エアコンプレッサの圧縮空気で昇降台を昇降させるエアシリンダを設け、同エアシリンダへの圧縮空気の供給の切換操作をする操作ペダルを設けたものが、小型軽量化でき低コストで実施できる。本発明でいう物品は、物品自体及び物品を収容した容器を包含する。以下、本発明の実施例を図面に基づいて具体的に説明する。
【実施例１】
【０００７】
図１〜６に示す実施例は魚の計量に適用した例である。図１は実施例の計量機の斜視図、図２は図１のＡ−Ａ断面図、図３は実施例の移動台車の斜視図、図４は実施例の移動台車のストッパの開閉機構の説明図、図５，６は実施例の計量装置の使用状態を示す説明図である。
【０００８】
図中、１は計量機、２はフレーム、２ａは脚、２ｂはガイドローラ、２ｃはクッション材、３はフリーローラ、４は昇降台、５は重量計、６は落下防止枠、７は空圧シリンダ、７ａはシリンダチューブ、７ｂはシリンダロッド、８はフートバルブ、８ａはエアホース、９はエアコンプレッサ、１０は表示パネル、１０ａは支柱、１０ｂは信号線、１１は移動台車、１２はフレーム、１２ａは脚、１２ｂは車輪、１３はフリーローラ、１４は落下防止枠、１５はストッパ、１５ａは筒体、１５ｂは掛止具、１５ｃは押上具、１５ｄは押上ロッド、１５ｅはＬ字部、１５ｆは横棒、１５ｇは支持棒、１５ｈは車輪押え、１６は操作ペダル、１６ａはフック、１７は固定ストッパ、Ｆは魚、Ｋは容器である。
【０００９】
本実施例の計量機１は、図１，２に示すように脚２ａを備えたフレーム２に直径５ｃｍの一対のフリーローラ３を計量すべき魚Ｆを収容する容器Ｋの底幅より狭幅の間隔をおいて軸支し、一対のフリーローラ３間に上面に重量計５を載せた昇降台４を配設し、フリーローラ３の周囲に容器Ｋの出入側を開放した落下防止枠６を取り付け、昇降台４の下部に空圧シリンダ７を取り付けてフートバルブ８でエアコンプレッサ９の圧縮空気の供給を切換操作できるようにし、フレーム２の容器Ｋの出入側に移動台車１１を案内する一対のガイドローラ２ｂを外側へ１５度傾斜させて取り付け、フレーム２の移動台車１１が当接する箇所にクッション材２ｃを取り付けている。
【００１０】
移動台車１１は、図３に示すように車輪１２ｂ付きの脚１２ａを備えたフレーム１２にフリーローラ１３を計量機１のフリーローラ３と同じ高さに４本軸支し、フリーローラ１３の両軸端部に落下防止枠１４を取り付け、容器Ｋの出入側に一対のストッパ１５を回動自在に設け、両側にフック１６ａを備えた四枠状の操作ペダル１６を設け、一対のストッパ１５と反対側に固定ストッパ１７を取り付けている。
【００１１】
一対のストッパ１５の開閉機構は、図４に示すようにＬ字状のストッパ１５を落下防止枠１４に固着した筒体１５ａ内に挿入し、ストッパ１５の基端部に掛止具１５ｂを取り付け、掛止具１５ｂの下方に上端に押上具１５ｃと下端部にＬ字部１５ｅを備えた押上ロッド１５ｄを上下動自在に設けた構造で、操作ペダル１６を下方へ踏むと押上ロッド１５ｄが自重で降下するとともにストッパ１５が下方へ下がって出入側が開放され、操作ペダル１６を上方へ戻すと押上ロッド１５ｄが上昇して押上具１５ｃが掛止具１ｂを持ち上げ、ストッパ１５が上がって出入側が閉鎖できるようにしている。
【００１２】
また、各支持棒１５ｇの先端には車輪１２ｂを押圧してブレーキをかける車輪押え１５ｈを固着して脚１２ａの下端部で軸支し、各支持棒１５ｇの基端間に固着した横棒１５ｆをフック１６ａに掛止し、操作ペダル１６の踏動で横棒１５ｆをフック１６ａで上昇させることで車輪押え１５ｈが車輪１２ｂを押圧し、操作ペダル１６を上方へ戻すとフック１６ａで横棒１５ｆを降下させて車輪押え１５ｈが車輪１２ｂから離隔し、出入側の開放と車輪１２ｂのロックが連動できるようにしている。
【００１３】
本実施例では、漁船から荷揚げされた魚Ｆを大きさや種類に応じて分別し、一定量ずつ容器Ｋに収容後、移動台車１１のフリーローラ１３上に載置して計量機１へ移送する。図５（ａ）に示すように移動台車１１のフレーム１２の出入側を計量機１のフレーム２の出入側へ一対のガイドローラ２ｂで案内されながら当接し（このときクッション材２ｃで衝撃が緩和される）、操作ペダル１６を下方へ踏んで一対のストッパ１５を開放するとともに車輪１２ｂをロックする。
【００１４】
次に、図５（ｂ）に示すように容器Ｋを計量機１側へ水平に押し出すと、容器Ｋは移動台車１１のフリーローラ１３から同じ高さの計量機１のフリーローラ３上へ転動して移送される。この状態では重量計５の計量面はフリーローラ３より下方にあり、容器Ｋとは接していない。そして、図５（ｃ）に示すようにフートバルブ８を圧縮空気供給側へ切換操作するとエアコンプレッサ９の圧縮空気がエアシリンダ７へ供給されてシリンダロッド７ｂが昇降台４を押し上げ、重量計５が容器Ｋを持ち上げてフリーローラ３から離隔し、容器Ｋの重量が重量計５へ荷重された状態となる。このときの重量値を表示パネル１０から読み取って記録する。
【００１５】
計量が終了すると、図６（ａ）に示すようにフートペダル８を圧縮空気開放側へ切換操作して昇降台４を降下させ、重量計５が容器Ｋから離隔して再び容器Ｋがフリーローラ３上に載置され、容器Ｋを移動台車１１側へ引くとフリーローラ３からフリーローラ１３へ転動して移送される。その後、操作ペダル１６を上方へ戻して一対のストッパ１５で出入側を閉鎖するとともに車輪１２ｂのロックを解除し、図６（ｃ）に示すように所要の場所へ搬送されることとなる。
【００１６】
本実施例ではこのように構成したから、容器Ｋを持ち上げる作用が全く不要となり、魚Ｆを収容した数十ｋｇの重量を有する容器Ｋでも労力を伴うことなく楽に迅速に計量できた。また、構造もシンプルで小型であり低コストで製作できるものである。
【００１７】
図７，８に示すのは実施例の移動台車の他の例である。図７は実施例の他の例の移動台車の一部を省略した縦断面図、図８は図７のＡ−Ａ断面図である。図中、１２ｃは昇降ガイド、１８は昇降台、１８ａはガイドローラ、１８ｂは転向ローラ、１９はモータ、１９ａは巻取り部、１９ｂはワイヤー、２０はバッテリーである。
【００１８】
図７，８に示す実施例の他の例の移動台車１１は、上面にフリーローラ１３を備え両側にガイドローラ１８ａと転向ローラ１８ｂとを備えた昇降台１８をフレーム１２に配設し、フレーム１２の両側に各ガイドローラ１８ａが上下方向に走行する昇降ガイド１２ｃを立設し、モータ１９の出力軸に巻取り部１９ａを軸着して昇降台１８内にバッテリー２０とともに取り付け、巻取り部１９ａと各転向ローラ１８ｂとの間にワイヤー１９ｂをそれぞれ掛架し、各ワイヤー１９ｂの上端を昇降ガイド１２ｃの上端部に固着している。
【００１９】
バッテリー２０でモータ１９を正回転させるとワイヤー１９ｂが巻取り部１９ａに巻き取られ、転向ローラ１８ｂにより転向したワイヤー１９ｂがモータ１９で引張されることで昇降台１８が上昇する。モータ１９を逆回転させると巻き取られたワイヤー１９ｂが戻り、昇降台１８が自重で降下する。
【００２０】
従って、計量後の容器Ｋを搬送先のコンテナやトラックの荷台上等フリーローラ１３より高い位置へ移し替える際も、昇降台１８をフリーローラ１３が移し替え先と同じ高さとなるように上昇させることで労力を伴うことなく楽に迅速に移し替えることができる。その他、符号、構成は実施例と同じである。
【産業上の利用可能性】
【００２１】
本発明の計量装置は、魚のみならず果物や野菜等の計量にも適用できる。
【図面の簡単な説明】
【００２２】
【図１】実施例の計量機の斜視図である。
【図２】図１のＡ−Ａ断面図である。
【図３】実施例の移動台車の斜視図である。
【図４】実施例の移動台車のストッパの開閉機構の説明図である。
【図５】実施例の計量装置の使用状態を示す説明図である。
【図６】実施例の計量装置の使用状態を示す説明図である。
【図７】実施例の他の例の移動台車の一部を省略した縦断面図である。
【図８】図７のＡ−Ａ断面図である。
【符号の説明】
【００２３】
１  計量機
２  フレーム
２ａ  脚
２ｂ  ガイドローラ
２ｃ  クッション材
３  フリーローラ
４  昇降台
５  重量計
６  落下防止枠
７  空圧シリンダ
７ａ  シリンダチューブ
７ｂ  シリンダロッド
８  フートバルブ
８ａ  エアホース
９  エアコンプレッサ
１０  表示パネル
１０ａ  支柱
１０ｂ  信号線
１１  移動台車
１２  フレーム
１２ａ  脚
１２ｂ  車輪
１２ｃ  昇降ガイド
１３  フリーローラ
１４  落下防止枠
１５  ストッパ
１５ａ  筒体
１５ｂ  掛止具
１５ｃ  押上具
１５ｄ  押上ロッド
１５ｅ  Ｌ字部
１５ｆ  横棒
１５ｇ  支持棒
１５ｈ  車輪押え
１６  操作ペダル
１６ａ  フック
１７  固定ストッパ
１８  昇降台
１８ａ  ガイドローラ
１８ｂ  転向ローラ
１９  モータ
１９ａ  巻取り部
１９ｂ  ワイヤー
２０  バッテリー
Ｆ  魚
Ｋ  容器
【図１】
0003671047.tif 000002
【図２】
0003671047.tif 000003
【図３】
0003671047.tif 000004
【図４】
0003671047.tif 000005
【図５】
0003671047.tif 000006
【図６】
0003671047.tif 000007
【図７】
0003671047.tif 000008
【図８】
0003671047.tif 000009